(57)【要約】【課題】多点針仕掛の各釣針を収納しうる並列に配置された複数のパイプを有する多点針仕掛投入器であって、漁場の状況に応じてパイプを適切に配置したり、数を増減することができて、釣果の増大をもたらすことができると共に、不使用時は各パイプを分解できて、持ち運びや保管に便利な多点針仕掛投入器を提供する。【解決手段】多点針仕掛の各釣針を収納しうる並列に配置された複数のパイプを有し、その複数のパイプが互いに着脱自在に係合しうる接続部材により相互に固定されている。その接続部材は横方向及び縦方向に並べて接合することができ、また積み重ねて厚さを増大することもできる。【選択図】図２
2005237216.tif 000002
【特許請求の範囲】
【請求項１】
多点針仕掛の各釣針を収納しうる、並列に配置された複数のパイプを有する多点針仕掛投入器において、上記複数のパイプは、互いに着脱自在に係合しうる接続部材により相互に固定されていることを特徴とする多点針仕掛投入器。
【請求項２】
上記接続部材は、上記パイプに挿通固定されうる枠体であって、パイプの周面部全域を被覆しうる枠本体と、この枠本体内方に形成されたパイプ収納孔部と、枠本体外方に設けられた係合部とを有することを特徴とする請求項１記載の多点針仕掛投入器。
【請求項３】
上記枠本体はリング状に形成され、上記枠体の平面上において、相互に直角を形成する４個所の部位には相互に対向して係合部が形成されていることを特徴とする請求項２記載の多点針仕掛投入器。
【請求項４】
上記係合部は、隣接する２つの係合部はいずれも係合突部であると共に、隣接する２つの係合部はいずれも係合凹部であることを特徴とする請求項３記載の多点針仕掛投入器。
【請求項５】
上記係合凹部は上記係合突部を収納して互いに係合しうる形状に形成され、ある接続部材の係合凹部は他の接続部材の係合突部と係合しうるように構成されていることを特徴とする請求項４記載の多点針仕掛投入器。
【請求項６】
上記複数のパイプは、長さ方向に沿って所定間隔を置いて配置された複数の接続部材により接合されており、ある接続部材の軸方向の幅寸法は、他の接続部材の軸方向の幅寸法よりも小さく形成されていることを特徴とする請求項２、３、４又は５記載の多点針仕掛投入器。
【請求項７】
上記軸方向の幅寸法の大きな接続部材は、幅寸法の小さな接続部材を軸方向に重ねて接合して形成されていることを特徴とする請求項６記載の多点針仕掛投入器。
【請求項８】
上記接続部材の枠体の互いに直交する直径方向における部位には、それぞれ突部及び上記突部を収納しうる凹部が形成されていることを特徴とする請求項７記載の多点針仕掛投入器。
【発明の詳細な説明】
【技術分野】
【０００１】
本発明は多点針仕掛投入器に関する。
【背景技術】
【０００２】
釣用の仕掛、特にイカを釣る仕掛は多点針付き構造になっている。即ち、１本の幹糸に適宜な間隔で複数の枝糸が接続され、その各枝糸の先端にそれぞれ釣針としての、いわゆる「ツノ」が取り付けられた構造になっている。
【０００３】
上記のような多点針仕掛の各釣針を海中へ投入する場合に、上記の各枝糸が絡み合わないように、従来、パイプを用いて構成された仕掛投入器が一般的に使用されている。
【０００４】
このような従来の仕掛投入器は、釣針の数と同数のパイプを幅方向に沿って一列に並べ、帯状の固定具により一体的に固定し、船べりに設置できるように構成されている。
【０００５】
即ち、各枝糸及び各釣針としての「ツノ」を別々に各パイプの内部に挿入し、幹糸の先端に取り付けた錘を海中へ投入することによって、各枝糸及び各釣針が幹糸に引っ張られて順次パイプから引き出され、絡み合わないように海中へ投入されるように構成されている。
【０００６】
しかしながら、従来の投入器は複数本のパイプが帯状の固定具により一体的に固定され、パイプの配置や数を変えることが不可能であった。
【０００７】
したがって、漁場の状況に応じてパイプを配置したり、数を増減することができず、適切な仕掛を投入できないので、釣果を上げることが困難であった。
【０００８】
また、複数のパイプが並列されて固定されていると、嵩張って持ち運びや保管に不便であった。
【０００９】
本出願人は上記の不具合を解消できる多点針仕掛投入器について調査したが、関連する先行技術文献を見い出すことはできなかった。
【発明の開示】
【発明が解決しようとする課題】
【００１０】
そこで本発明は、上記の不具合を解消できる多点針仕掛投入器、即ち、漁場の状況に応じてパイプを適切に配置したり、数を増減することができて、釣果の増大をもたらすことができると共に、不使用時は各パイプを分解できて、持ち運びや保管に便利な多点針仕掛投入器の提供を課題とする。
【課題を解決するための手段】
【００１１】
上記課題を解決するために、請求項１記載の本発明に係る多点針仕掛投入器は、多点針仕掛の各釣針を収納しうる、並列に配置された複数のパイプを有する多点針仕掛投入器において、上記複数のパイプは、互いに着脱自在に係合しうる接続部材により相互に固定されていることを特徴とするものである。
【００１２】
即ち、本発明に係る多点針仕掛投入器にあっては、複数のパイプを上記接続部材を介して一体に固定し、各接続部材は互いに係合可能で、かつ着脱自在に構成されている。
【００１３】
また、請求項２記載の本発明に係る多点針仕掛投入器は、上記接続部材が、上記パイプに挿通固定されうる枠体であって、パイプの周面部全域を被覆しうる枠本体と、この枠本体内方に形成されたパイプ収納孔部と、枠本体外方に設けられた係合部とを有することを特徴とする。
【００１４】
即ち、本発明に係る多点針仕掛投入器にあっては、上記接続部材の枠本体内方に形成されたパイプ収納孔部にパイプが挿通されて固定され、上記枠本体外方に設けられた係合部によって他の接続部材と接合することができるように構成されている。
【００１５】
また、請求項３記載の本発明に係る多点針仕掛投入器は、上記枠本体がリング状に形成され、上記枠体の平面上において、相互に直角を形成する４個所の部位には相互に対向して係合部が形成されていることを特徴とする。
【００１６】
即ち、本発明に係る多点針仕掛投入器にあっては、上記接続部材の枠本体における上記４箇所の部位に設けられた係合部にそれぞれ他の接続部材を接合することができるように構成されている。
【００１７】
また、請求項４記載の本発明に係る多点針仕掛投入器にあっては、上記係合部は、隣接する２つの係合部はいずれも係合突部であると共に、隣接する２つの係合部はいずれも係合凹部であることを特徴とする。
【００１８】
即ち、本発明に係る多点針仕掛投入器にあっては、上記接続部材は、係合突部と、係合凹部という、形状の異なる２種類の係合部を有している。
【００１９】
また、請求項５記載の本発明に係る多点針仕掛投入器にあっては、上記係合凹部は上記係合突部を収納して互いに係合しうる形状に形成され、ある接続部材の係合凹部は他の接続部材の係合突部と係合しうるように構成されていることを特徴とする。
【００２０】
即ち、本発明に係る多点針仕掛投入器にあっては、ある接続部材の上記係合凹部に対して他の接続部材の上記係合突部を収納することにより隣接する接続部材どうしを接合するように構成されている。
【００２１】
また、請求項６記載の本発明に係る多点針仕掛投入器にあっては、上記複数のパイプは、長さ方向に沿って所定間隔を置いて配置された複数の接続部材により接合されており、ある接続部材の軸方向の幅寸法は、他の接続部材の軸方向の幅寸法よりも小さく形成されていることを特徴とする。
【００２２】
即ち、本発明に係る多点針仕掛投入器にあっては、軸方向の幅寸法が大小異なる複数の接続部材で、パイプの長さ方向の複数箇所が固定されるように構成されている。
【００２３】
また、請求項７記載の本発明に係る多点針仕掛投入器にあっては、上記軸方向の幅寸法の大きな接続部材は、幅寸法の小さな接続部材を軸方向に重ねて接合して形成されていることを特徴とする。
【００２４】
即ち、本発明に係る多点針仕掛投入器にあっては、幅寸法の小さな接続部材を軸方向に重ねて接合することにより、上記軸方向の幅寸法の大きな接続部材を形成できるように構成されている。
【００２５】
また、請求項８記載の本発明に係る多点針仕掛投入器は、上記接続部材の枠体の互いに直交する直径方向における部位には、それぞれ突部及び上記突部を収納しうる凹部が形成されていることを特徴とする。
【００２６】
即ち、本発明に係る多点針仕掛投入器にあっては、上記突部を上記凹部に収納することにより上記接続部材を重ねて接合しうるように構成されている。
【発明の効果】
【００２７】
請求項１記載の本発明に係る多点針仕掛投入器は、まず、多点針仕掛の各釣針を収納しうる並列に配置された複数のパイプを有することから、多点針仕掛における各枝糸及び餌を取り付けた各釣針を別々に各パイプの内部に挿入し、幹糸の先端に取り付けた錘を海中へ投入することによって、各枝糸及び各釣針が幹糸に引っ張られて順次パイプから引き出され、絡み合わないように海中へ投入することができる。
次に、上記複数のパイプは、互いに着脱自在に係合しうる接続部材により相互に固定されていることから、上記接続部材を係合して接合する作業だけで各パイプを一体に固定することができ、また、上記接続部材の係合を解除することにより各パイプを互いに分離することができるので、漁場の状況に応じてパイプ数を増減することができ、適切な仕掛けを海中へ投入して釣果を上げることができる。
また、不使用時は上記接続部材の係合を解除して複数本のパイプを個別に分離できるので、持ち運びや保管に便利である。
【００２８】
また、請求項２記載の本発明に係る多点針仕掛投入器は、上記接続部材が、上記パイプに挿通固定されうる枠体であって、パイプの周面部全域を被覆しうる枠本体と、この枠本体内方に形成されたパイプ収納孔部と、枠本体外方に設けられた係合部とを有することから、上記接続部材の構造がシンプルで低コストで製造することができる。
また、上記接続部材は、上記パイプ収納孔部に上記パイプを挿通するだけで容易に上記パイプを固定することができるので、パイプに対する装着が容易である。
【００２９】
また、請求項３記載の本発明に係る多点針仕掛投入器は、上記枠本体がリング状に形成され、上記枠体の平面上において、相互に直角を形成する４個所の部位には相互に対向して係合部が形成されていることから、ある接続部材は少なくとも周囲四方に他の接続部材を接合することができる。したがって、パイプの配置を従来のように一列線状に配置するだけでなく、平面的に配置することもでき、パイプ配置の自由度が増大する。
【００３０】
また、請求項４記載の本発明に係る多点針仕掛投入器にあっては、上記係合部は、隣接する２つの係合部がいずれも係合突部であると共に、隣接する他の２つの係合部はいずれも係合凹部であることから、ある接続部材は他の接続部材に対し係合することもできるし、他の接続部材から係合されることもできる。したがって、接続部材の構造を統一して部品を共通化することにより接続部材の製造コストを下げることができる。
【００３１】
また、請求項５記載の本発明に係る多点針仕掛投入器にあっては、上記係合凹部は上記係合突部を収納して互いに係合しうる形状に形成され、ある接続部材の係合凹部は他の接続部材の係合突部と係合しうるように構成されていることから、接続部材どうしを接合する場合に、上記係合突部を上記係合凹部に収納するだけでよく、接続部材どうしの接合作業が極めて容易である。
【００３２】
また、請求項６記載の本発明に係る多点針仕掛投入器にあっては、上記複数のパイプは、長さ方向に沿って所定間隔を置いて配置された複数の接続部材により接合されており、ある接続部材の軸方向の幅寸法は、他の接続部材の軸方向の幅寸法よりも小さく形成されていることから、パイプにおいて幅寸法の小さな接続部材で接合された部位では、幅寸法の大きな接続部材で接合された部位に比べ拘束力が弱く動きやすいので、接続部材同士の接合や分離作業がしやすくなる。
【００３３】
また、請求項７記載の本発明に係る多点針仕掛投入器にあっては、上記軸方向の幅寸法の大きな接続部材は、幅寸法の小さな接続部材を軸方向に重ねて接合して形成されていることから、幅寸法の大きな接続部材を幅寸法の小さな接続部材とは別個に形成する必要がなく、幅寸法の小さな接続部材だけを１種類形成すればよいので、部品点数を減らして製造コストを下げることができる。
また、重ね合わせる幅寸法の小さな接続部材の数を変えることにより接続部材の幅寸法を任意に変更することができる。
【００３４】
また、請求項８記載の本発明に係る多点針仕掛投入器にあっては、上記接続部材の枠体の互いに直交する直径方向における部位には、それぞれ突部及び上記突部を収納しうる凹部が形成されていることから、上記突部を上記凹部に収納することにより積み重ねた接続部材を位置ずれしないように固定することができる。
【発明を実施するための最良の形態】
【００３５】
以下、図面を用いて本発明の実施の形態について説明する。
本実施形態に係る多点針仕掛投入器１は、図１に示すように、多点針仕掛２の各釣針３を収納しうる並列に配置された複数のパイプ４を有する多点針仕掛投入器１であって、上記複数のパイプ４は、図１及び図２に示すように、互いに着脱自在に係合しうる接続部材５により相互に固定されている。
また、上記接続部材５は、図３に示すように、上記パイプ４に挿通固定されうる枠体６であって、パイプ４の周面部全域を被覆しうる枠本体７と、この枠本体内方に形成されたパイプ収納孔部８と、枠本体外方に設けられた係合部９とを有している。
また、上記枠本体７は、図３に示すように、リング状に形成され、上記枠体６の平面上において、相互に直角を形成する４個所の部位には相互に対向して係合部９が形成されている。
また、上記係合部９は、図３に示すように、隣接する２つの係合部はいずれも係合突部１０であると共に、隣接する２つの係合部はいずれも係合凹部１１であるように形成されている。
また、上記係合凹部１１は、図２に示すように、上記係合突部１０を収納して互いに係合しうる形状に形成され、ある接続部材５の係合凹部１１は他の接続部材５の係合突部１０と係合しうるように構成されている。
また、上記複数のパイプ４は、図１に示すように、長さ方向に沿って所定間隔を置いて配置された複数の接続部材５ａ，５ｂにより接合されており、ある接続部材５ａの軸方向の幅寸法は、他の接続部材５ｂの軸方向の幅寸法よりも小さく形成されている。
また、上記軸方向の幅寸法の大きな接続部材５ｂは、図５に示すように、幅寸法の小さな接続部材５ａを軸方向に重ねて接合して形成されている。
また、上記接続部材５の枠体の互いに直交する直径方向における部位には、図４に示すように、それぞれ突部１２及び上記突部１２を収納しうる凹部１３が形成されている。
【実施例１】
【００３６】
図示した本実施例に係る多点針仕掛投入機１は、図１に示すように、イカ釣用の多点針仕掛２を海中へ投入するように構成されている。この多点針仕掛２は、釣り糸における幹糸１４に所要間隔で複数の枝糸１５が繋がれており、その各枝糸１５の先端に「イカ角」と称される釣針３が取り付けられ、又、幹糸１４の先端には錘１６が取り付けられている。
【００３７】
上記多点針仕掛投入器１は、図１及び図２に示すように、並列した複数本のパイプ４を有している。これらパイプ４の数は上記多点針仕掛２の釣針３の数と同一である。これらパイプ４はアルミ製で、約１ｍの長さを有している。
【００３８】
上記パイプ４は、図１に示すように、上端が開口され、その内部に上記多点針仕掛２の枝糸１５及び釣針３を挿入できるように形成されている。
【００３９】
上記多点針仕掛２を海中へ投入する場合は、上記幹糸１４の先端に取り付けた錘１６を海中へ投入すればよい。各枝糸１５及び各釣針３が幹糸１４に引っ張られて順次各パイプ４から引き出され、絡み合わないように海中へ投入される。
【００４０】
上記複数のパイプ４は、図１及び図２に示すように、接続部材５を介して並列状態に固定されている。即ち、各パイプ毎に接続部材５が装着され、それら接続部材５同士が接合されて固定されている。
【００４１】
上記接続部材５はプラスチックにより形成され、接続部材５同士は互いに係合自在で、着脱自在に形成されている。
【００４２】
上記接続部材５は、図３に示すように、上記パイプ４に挿通固定されうる枠体６に形成されている。その枠体６は、上記パイプ４の周面部全域を被覆しうる枠本体７を有している。そして、その枠本体内方にパイプ収納孔部８が形成されている。即ち、上記パイプ収納孔部８に上記パイプ４が挿通され、固定されている。
【００４３】
また、上記枠体６は、図３に示すように、枠本体外方に係合部９が形成されている。
【００４４】
上記枠本体７は、図３に示すように、リング状に形成され、上記枠体６の平面上において、相互に直角を形成する４個所の部位には相互に対向して上記係合部９が形成されている。即ち、枠体６の周囲四方にそれぞれ上記係合部９が形成されている。
【００４５】
上記係合部９は、図３に示すように、隣接する２つの係合部９はいずれも係合突部１０に形成され、他の隣接する２つの係合部９はいずれも係合凹部１１に形成されている。
【００４６】
上記係合凹部１１は、図２に示すように、上記係合突部１０を収納して互いに係合しうる形状に形成されている。そして、ある接続部材５の係合凹部１１は他の接続部材５の係合突部１０と係合しうるように構成されている。
【００４７】
上記接続部材５は、図２に示すように、上記係合突部１０を上記係合凹部１１に収納することに横方向に接合して一列線状に配置されている。
【００４８】
上記複数のパイプ４は、図１に示すように、長さ方向に沿って所定間隔を置いて配置された複数の接続部材５ａ，５ｂにより接合されている。即ち、パイプ４の上下２箇所が接続部材５ａ，５ｂにより固定されている。
【００４９】
そして、下方に位置する接続部材５ａの軸方向の幅寸法は、図１に示すように、上方に位置する接続部材５ｂの軸方向の幅寸法よりも小さく形成されている。即ち、下方に位置する接続部材５ａの軸方向の幅寸法は、上方に位置する接続部材５ｂの軸方向の幅寸法に対し、その２分の１に設定されている。
【００５０】
上記軸方向の幅寸法の大きな接続部材５ｂは、図１及び図５に示すように、幅寸法の小さな接続部材５ａを軸方向に積み重ねて接合することにより形成されている。
【００５１】
上記接続部材５の枠体６の互いに直交する直径方向における部位には、図３及び図４に示すように、それぞれ円柱状の突部１２及び上記突部１２を収納しうる丸い凹部１３が形成されている。上記凹部１３は上記突部１２のちょうど裏側位置に形成されている。
【００５２】
上記軸方向の幅寸法が小さな接続部材５ａを軸方向に積み重ねて、上記軸方向の幅寸法が大きな接続部材５ｂを形成する場合、図５に示すように、上記突部１２を上記凹部１３に挿入して固定している。
【００５３】
図２に示すように、上記複数のパイプ４は上記接続部材５を介して一列線状に配置されているが、上記接続部材５は、横方向のみでなく縦方向にも接合することができる。したがって、複数のパイプ４は、図６に示すように、平面的に配置することもできる。
【００５４】
また、図３に示すように、上記接続部材５において、係合部９として上記係合突部１０を設けた部位には、その係合突部１０の両側に上記係合凹部１１を略２分割した形状の半係合凹部１７，１８が形成されている。
また、上記接続部材５において、係合部９として上記係合凹部１１を設けた部位には、その係合凹部１１の両側に上記係合突部１０を略２分割した形状の半係合突部１９，２０が形成されている。
【００５５】
したがって、図７に示すように、２つの接続部材５を横方向に接合した場合に、それぞれの接続部材５の上記半係合凹部１７，１８が並んで係合凹部１１と略同一形状になり、ここに他の接続部材５の上記係合突部１０を収納することができる。
また、図７に示すように、２つの接続部材５を横方向に接合した場合に、それぞれの接続部材５の上記半係合突部１９，２０が並んで上記係合突部１０と略同一形状になり、これらを他の接続部材５の上記係合凹部１１に収納することができる。
これにより、図７に示すように、接続部材５は横方向に並列させて配置すると共に、斜め方向にも並列させて配置することもできる。  
【産業上の利用可能性】
【００５６】
本発明の多点針仕掛投入器は、イカ釣用の仕掛に限定するものではなく、他の魚を釣る場合に用いる多点針仕掛を投入する装置にも適用可能である。
【図面の簡単な説明】
【００５７】
【図１】側面図である。
【図２】平面図である。
【図３】接続部材単体の平面図である。
【図４】図３のＡ−Ａ線断面図である。
【図５】軸方向の幅寸法が大きい接続部材の断面図である。
【図６】パイプを横方向及び縦方向に並べて配置した状態の平面図である。
【図７】パイプを横方向及び斜め方向に並べて配置した状態の平面図である。
【符号の説明】
【００５８】
１    多点針仕掛投入器
２    多点針仕掛
３    釣針
４    パイプ
５    接続部材
６    枠体
７    枠本体
８    パイプ収納孔部
９    係合部
１０  係合突部
１１  係合凹部
１２  突部
１３  凹部
１４  幹糸
１５  枝糸
１６  錘
１７  半係合凹部
１８  半係合凹部
１９  半係合突部
２０  半係合突部
【図１】
2005237216.tif 000003
【図２】
2005237216.tif 000004
【図３】
2005237216.tif 000005
【図４】
2005237216.tif 000006
【図５】
2005237216.tif 000007
【図６】
2005237216.tif 000008
【図７】
2005237216.tif 000009